(57)【要約】【課題】外側継手と内側継手との輸送中の破損や施工中の所定位置のずれを防止し、係止片等の除去を必要とせず、部品点数を減らして生産コストを抑えることが可能な伸縮継手を提供する。【解決手段】互いに長手方向に摺動可能に嵌合された外側継手２と内側継手３とを備え、各々に軒樋接続部４１、４２を有する伸縮継手１であって、外側継手と内側継手には、各々の相対位置を決定するとともに、摺動を規制するための位置決め部５が設けられ、位置決め部は、外側継手の上端縁部２１に設けられて、内側継手の軒樋接続部に対応する位置に、内側継手の上端縁部３１を覆うように内側に突出している突出片２２と、内側継手の上端縁部に設けられて、突出片の長手方向の両側を挟んで当接する位置に係止片３２を有し、突出片は、内側継手の軒樋接続部に軒樋を嵌合させたときに、外側継手の上端縁部から外れるように形成されている。【選択図】図１
2018104900.tif 000002
【特許請求の範囲】
【請求項１】
互いに長手方向に摺動可能に嵌合された外側継手と内側継手とを備え、各々に軒樋接続部を有する伸縮継手であって、
前記外側継手と前記内側継手には、各々の相対位置を決定するとともに、摺動を規制するための位置決め部が設けられ、
前記位置決め部は、前記外側継手の上端縁部に設けられて、前記内側継手の前記軒樋接続部に対応する位置に、前記内側継手の上端縁部を覆うように内側に突出している突出片と、
前記内側継手の上端縁部に設けられて、前記突出片の長手方向の両側を挟んで当接する位置に係止片を有し、
前記突出片は、前記内側継手の前記軒樋接続部に軒樋を嵌合させたときに、前記外側継手の上端縁部から外れるように形成されていることを特徴とする伸縮継手。
【請求項２】
前記突出片は、前記外側継手の上端縁部から前記内側継手の内側に向かって底部方向に傾斜し、中間部で底部方向とは反対方向に屈曲する屈曲形状に形成されており、
前記突出片と前記外側継手の上端縁部との接続部に、突出片の取り外しを容易にするための切り欠き部が形成されていることを特徴とする請求項１記載の伸縮継手。
【発明の詳細な説明】
【技術分野】
【０００１】
本発明は、伸縮継手に関する。
【背景技術】
【０００２】
近年、建物の軒先に取り付ける軒樋には合成樹脂製のものが多く用いられている。この合成樹脂製の軒樋は熱膨張係数が大きいため、気温の変化等に伴う軒樋の長手方向の伸縮により、軒樋自身が変形したり破損するといった問題があった。
【０００３】
そこで、気温の変化等に伴う軒樋の伸縮を逃がすために、軒樋の中間部に接続する伸縮可能な伸縮継手が提案されている。
【０００４】
この伸縮継手は、外側継手と内側継手が互いに摺動可能に接合されており、内側継手と外側継手が摺動することによって伸縮継手自体が軒樋の伸縮量を吸収して調整するようになっている。しかしながら、このような伸縮継手は、輸送中の衝撃により外側継手と内側継手が動いてしまい破損する虞があった。
【０００５】
また、伸縮継手には、外側継手と内側継手の相対位置を所定の位置に設定する基準となるものがないため、施工時において外側継手と内側継手の相対位置を一定にするのが困難であった。そして、例えば、軒樋が収縮し易い冬季において伸縮継手が収縮した状態や、軒樋が伸長し易い夏季において伸縮継手が伸長した状態で軒樋と接続されていた場合には、軒樋の伸縮を吸収できず、伸縮継手としての機能を十分に発揮できないという問題があった。
【０００６】
これに対して、これまでに、内側継手と外側継手との係合により、内側継手と外側継手の相対位置を所定の位置で固定することができる伸縮継手が提案されている（例えば特許文献１を参照）。この提案によれば、内側継手と外側継手に設けた係合突片に、クリップ状の位置決め具を嵌合して内側継手と外側継手を固定した状態とし、位置決め具を除去することにより内側継手と外側継手の固定を解除するようにしている。
【０００７】
そして、これにより、内側継手と外側継手の相対位置を規制した状態で軒樋の接続を可能とし、施工後に位置決め具を取り外して係合を解除することにより、軒樋の伸縮に伴う内側継手と外側継手の摺動が可能な状態にすることができるとしている。
【先行技術文献】
【特許文献】
【０００８】
【特許文献１】特開２０１１−５２３８４号公報
【発明の概要】
【発明が解決しようとする課題】
【０００９】
しかしながら、特許文献１の伸縮継手は、軒樋の設置施工後に外側継手と内側継手の摺動の規制のための位置決め具を除去する必要があるため、施工後に位置決め具を外し忘れる等のリスクがあった。また、位置決め具を別部品として成形する必要があるため部品点数が多くなり、製造コストが高くなったり、組立の作業工数が多くなるという問題があった。
【００１０】
本発明は、上記従来の問題点に鑑みてなされたものであり、外側継手と内側継手との輸送中の破損、施工中の所定位置のずれや、位置決め具等の外し忘れを防止し、部品点数を減らして製造コストを抑えることが可能な伸縮継手を提供することを課題とする。
【課題を解決するための手段】
【００１１】
本発明は、上記の課題を解決するために、以下のことを特徴としている。
【００１２】
すなわち、本発明の伸縮継手は、互いに長手方向に摺動可能に嵌合された外側継手と内側継手とを備え、各々に軒樋接続部を有する伸縮継手であって、前記外側継手と前記内側継手には、各々の相対位置を決定するとともに、摺動を規制するための位置決め部が設けられ、前記位置決め部は、前記外側継手の上端縁部に設けられて、前記内側継手の前記軒樋接続部に対応する位置に、前記内側継手の上端縁部を覆うように内側に突出している突出片と、前記内側継手の上端縁部に設けられて、前記突出片の長手方向の両側を挟んで当接する位置に係止片を有し、前記突出片は、前記内側継手の前記軒樋接続部に軒樋を嵌合させたときに、前記外側継手の上端縁部から外れるように形成されていることを特徴とする。
【発明の効果】
【００１３】
本発明によれば、外側継手と内側継手との輸送中の破損、施工中の所定位置のずれや、位置決め具等の外し忘れを防止するとともに、部品点数を減らして生産コストを抑えることが可能な伸縮継手を提供することが可能となる。
【図面の簡単な説明】
【００１４】
【図１】本発明の伸縮継手の一実施形態を示す概略斜視図である。
【図２】位置決め部の一実施形態を示す一部拡大斜視図である。
【図３】突出片と係止片の位置関係を示す一部拡大図である。
【図４】突出片の一実施形態を示す一部拡大図である。
【図５】内側継手の上端縁部を軒樋接続部側から臨んだ部分拡大図であり、（Ａ）〜（Ｃ）は、軒樋の取付けに伴い突出片が外れる状態を示している。
【図６】伸縮継手の両端に軒樋を接続した状態を示す概略断面図である。
【発明を実施するための形態】
【００１５】
本発明の伸縮継手について図面に基づいて以下に詳述する。図１は、本発明の伸縮継手の一実施形態を示す概略斜視図であり、図２は、位置決め部の一実施形態を示す一部拡大斜視図である。また、図３は、突出片と係止片の位置関係を示す一部拡大図であり、図４は、突出片の一実施形態を示す一部拡大図である。
【００１６】
本実施形態の伸縮継手１は、互いに長手方向に摺動可能に嵌合された外側継手２と内側継手３とを備え、各々に軒樋接続部４１、４２を有している。また、外側継手２と内側継手３には、各々の所定の相対位置で摺動を規制するための位置決め部５が設けられている。
【００１７】
そして、位置決め部が、外側継手２と内側継手３とが所定の相対位置の状態において、外側継手２の上端縁部２１で、内側継手３の軒樋接続部に対応する位置に、内側継手３の上端縁部３１を覆うように内側に突出した突出片２２を有している。また、内側継手３の上端縁部３１で、突出片２２の長手方向の両側を挟んで当接する位置に係止片３２を有している。
【００１８】
また、突出片２２は、内側継手３の軒樋接続部４２に軒樋６を嵌合させたときに、外側継手２の上端縁部２１から外れるように形成されている。
【００１９】
本実施形態の伸縮継手１では、外側継手２の内側に内側継手３が嵌合されており、長手方向に摺動可能に形成されている。また、外側継手２の上端縁部２１の中央部付近には、内側継手３の上端縁部３１を上方から覆うように内側に向けて突出した押さえ辺２３が設けられている。押さえ辺２３は、内側継手３が外側継手２から上方に外れないようにするためのストッパーの役目を果たしている。
【００２０】
外側継手２の端部には、軒樋６を接合するための軒樋接続部４１が形成されている。軒樋接続部４１は、外側継手２の上端縁部２１の端部に軒樋６の耳部６１と嵌合可能な軒樋固定爪４１１が形成されている。また、軒樋接続部４１の内面には軒樋受け部４１２が形成されており、軒樋受け部４１２により軒樋接続部４１に接続した軒樋６の端部を受けて位置決めできるようになっている。
【００２１】
また、内側継手３の端部にも外側継手２と同様に、軒樋６を接合するための軒樋接続部４２が形成されている。軒樋接続部４２は、内側継手３の上端縁部３１の端部に軒樋６の耳部６１と嵌合可能な軒樋固定爪４２１が形成されている。また、軒樋接続部４２の内面には軒樋受け部４２２が形成されており、軒樋受け部４２２により軒樋接続部４２に接続した軒樋６の端部を受けて位置決めできるようになっている。
【００２２】
即ち、軒樋固定爪４１１、４２１に軒樋６の耳部６１を嵌合させ、軒樋受け部４１２、４２２で軒樋６の端部を受けることにより、軒樋６と伸縮継手１の接続が可能となっている。これにより、長尺の軒樋６の中間部に伸縮継手１を配設することができる。
【００２３】
また、外側継手２と内側継手３の上端縁部２１、３１で、内側継手３の軒樋接続部４２に対応する位置には、外側継手２と内側継手３の所定の相対位置で摺動を規制し、所定の位置に位置決めするための位置決め部５が設けられている。位置決め部５は、外側継手２の上端縁部２１で、内側継手３の軒樋接続部４２に対応する位置に設けられた突出片２２と、内側継手３の上端縁部３１に突出して設けられた係止片３２により構成されている。
【００２４】
外側継手２の上端縁部２１に設けられた突出片２２は、内側継手３の上端縁部３１を上方から覆うように内側に向けて突出している。突出片２２の長手方向の長さは特に限定されるものではなく、係止片３２の間隔等を考慮して適宜決定することができる。
【００２５】
内側継手３の上端縁部３１に設けられた係止片３２は、外側継手２と内側継手３とが所定の相対位置の状態において、外側継手２に設けられた突出片２２を左右両側から挟んで当接する位置に内側に向けて突出して形成されている。ここで、外側継手２と内側継手３との所定の相対位置とは、軒樋６の伸縮に伴う外側継手２と内側継手３の摺動量が十分に確保された位置を意味する。
【００２６】
突出片２２の形状は、施工前には、係止片３２により両側から挟まれて当接しており、施工後に、内側継手３の軒樋接続部に軒樋６を嵌合させたときに外側継手２の上端縁部２１から外れる形状となっている。このような突出片２２の形状としては、例えば、図４に示すように、外側継手２の上端縁部２１から内側継手３の内側に向かって底部方向に傾斜し、中間部で底部方向とは反対方向に屈曲する屈曲形状とするのが好ましい。また、突出片２２と外側継手２の上端縁部２１との接続部に、断面が一段細い切り欠き部２２１が形成されているのが好ましい。切り欠き部２２１を形成することにより、耳部６１の嵌合時に外側継手２の上端縁部２１からの突出片２２の取り外しを容易にすることができる。
【００２７】
以下に、軒樋６の嵌合により突出片２２が外れる具体的な機序について図５（Ａ）〜（Ｃ）により説明する。図５（Ａ）〜（Ｃ）は、伸縮継手１の内側継手３の上端縁部３１を軒樋接続部４２側から臨んだ部分拡大図である。
【００２８】
まず、図５（Ａ）に示すように、軒樋６を内側に撓ませた状態で、内側継手３の軒樋接続部４２に挿入し、軒樋６の耳部６１を係止片３２の先端部の下部にあてがう。次に、図５（Ｂ）に示すように、軒樋６を広げて耳部６１を係止片３２の下部に潜り込ませる。この状態で、耳部６１の上端部が外側継手２の突出片２２に接触し、突出片２２が押し上げられる。
【００２９】
そして、この状態から内側継手３の軒樋接続部４２に軒樋６を完全に嵌合させると、耳部６１の上端部はさらに突出片２２を上方に押し上げる。そして、図５（Ｃ）に示すように、突出片２２と外側継手２の上端縁部２１との接続部に設けられた切り欠き部２２１により突出片２２の付け根が折れて上端縁部２１から外れる。なお、本実施形態の伸縮継手１では、内側継手３の係止片３２は、施工後に軒樋６の耳部６１を保持する軒樋固定爪４２１の役割も担っている。
【００３０】
本実施形態の伸縮継手１によれば、施工前においては、突出片２２と係止片３２により、外側継手２と内側継手３との摺動が規制され、外側継手２と内側継手３が固定された状態となるため、伸縮継手１の輸送時には外側継手２と内側継手３との衝突による破損を防止することができる。また、伸縮継手１の取り付け施工時には、外側継手２と内側継手３との相対的な位置が予め規定されて固定されているため、位置調整を行う必要がない。
【００３１】
また、上記のように、軒樋６を内側継手３の軒樋接続部４２に嵌合させることによって確実に突出片２２が外れるため、位置決めのための突出片２２の外し忘れを防止することができる。また、突出片２２が外れることにより位置決め部５の機能が解除されて、外側継手２と内側継手３を摺動可能とすることができる。具体的には、例えば、夏季の高温時に軒樋６の長手方向の膨張により伸長した場合には、外側継手２と内側継手３が縮む方向に摺動する。また、冬季の低温時に軒樋６の長手方向に収縮した場合には、外側継手２と内側継手３が伸びる方向に摺動する。
【００３２】
さらに、本実施形態の伸縮継手１の位置決め部５は、外側継手２に予め突出片２２が形成されており、部品点数が少ないため、製造コストを抑えることが可能となる。
【００３３】
以下に、本実施形態の伸縮継手１に軒樋６を接続する施工方法について説明する。まず、図１に示すように、伸縮継手１の内側継手３の上端縁部３１の係止片３２の間に外側継手２の突出片２２が挟まれた状態であることを確認する。
【００３４】
次に、その状態で図６に示すように、外側継手２の端部に設けられた軒樋接続部４１に、軒樋６の端部を差し込んで固定する。軒樋接続部４１による軒樋６の固定は、必要に応じて軒樋接続部４１に接着剤を塗布した後、外側継手２の上端縁部２１の端部に設けられている軒樋固定爪４１１に軒樋６の端部の耳部６１を嵌合させた状態で、軒樋６の端部が軒樋受け部４１２に当接するまで押し込む。
【００３５】
また、内側継手３の端部に設けられた軒樋接続部４２に軒樋６の端部を嵌合させる。具体的には、上記で説明した図５（Ａ）〜（Ｃ）の手順で、耳部６１を係止片３２の下部に嵌合させるとともに突出片２２を外す。この際、必要に応じて軒樋接続部４２に接着剤を塗布した後、軒樋接続部４２に軒樋６の端部を嵌合させる。これにより、長尺の軒樋６の中間部に伸縮継手１を固定して配設することができる。そして、この状態で伸縮継手１を介して接続した軒樋６を軒樋吊具等により建物の軒先の所定の位置に固定することにより軒樋６の取り付け施工をすることができる。
【００３６】
本実施形態の伸縮継手１によれば、上記のように位置決め部５の固定解除が内側継手３の軒樋接続部４２に軒樋６を嵌合させることにより、自然かつ確実に行うことができるため、突出片２２を取り忘れることがなく、伸縮継手１の取り付け施工を簡便に行うことができる。
【００３７】
以上、実施形態に基づき本発明の伸縮継手１を説明したが、本発明は上記の実施形態に何ら限定されるものではなく、その要旨を逸脱しない範囲内において各種の変更が可能である。
【００３８】
例えば、上記実施形態では、内側継手３の係止片３２に、軒樋６の耳部６１を保持する軒樋固定爪４２１の役割を担わせているが、係止片３２とは別に軒樋固定爪４２１を並べて設けることもできる。
【符号の説明】
【００３９】
１  伸縮継手
２  外側継手
２１  外側継手の上端縁部
２２  突出片
２２１  切り欠き部
３  内側継手
３１  内側継手の上端縁部
３２  係止片
４１、４２  軒樋接続部
４１１、４１２  軒樋固定爪
４１２、４２２  軒樋受け部
５  位置決め部
６  軒樋
６１  耳部
【図１】
2018104900.tif 000003
【図２】
2018104900.tif 000004
【図３】
2018104900.tif 000005
【図４】
2018104900.tif 000006
【図５】
2018104900.tif 000007
【図６】
2018104900.tif 000008